(57)【要約】【課題】ポリ（エチレンテレフタレート）のフィラメントから製造されるカーペットは、（パイル高さ保持性とも称される）耐圧潰性に劣っていること、およびテクスチャー保持性（すなわち、タフトの先端の糸が摩耗でほぐれる）に劣っていることがある。カーペットは、頻繁に踏まれる場所では艶消しの外観になってしまうことがある。【解決手段】不規則に間隔をあけた３次元曲線の捲縮を有する多数の嵩高連続フィラメントを含む糸であって、前記フィラメントは、０．６と１．３の間の固有粘度を有するポリ（トリメチレンテレフタレート）から成り、かつ７００と５０００の間の総デニール、４と２５の間のフィラメント当たりのデニール、２０と９５％の間の沸水処理ＢＣＥ、および０から５パーセントの収縮を有することを特徴とする糸を使用することにより、カーペットを製造する。【選択図】図１
2006283273.tif 000002
【特許請求の範囲】
【請求項１】
規則に間隔をあけた３次元曲線の捲縮を有する多数の嵩高連続フィラメントを含む糸であって、前記フィラメントは、０．６と１．３の間の固有粘度を有するポリ（トリメチレンテレフタレート）から成り、かつ７００と５０００の間の総デニール、４と２５の間のフィラメント当たりのデニール、２０と９５％の間の沸水処理ＢＣＥ、および０から５パーセントの収縮を有することを特徴とする糸。
【請求項２】
前記フィラメントが１．２と３．５ｇｐｄの間の強力を有することを特徴とする請求項１に記載の糸。
【請求項３】
前記フィラメントが１０と９０パーセントの間の破断伸びを有することを特徴とする請求項２に記載の糸。
【請求項４】
前記フィラメントが２０と７０パーセントの間の破断伸びを有することを特徴とする請求項３に記載の糸。
【請求項５】
捲縮された諸撚り糸のタフトを備えるカーペットであって、前記糸は不規則に間隔をあけた３次元曲線の捲縮を有する多数の嵩高連続フィラメントを含有し、前記フィラメントは、約０．６と１．３の間の固有粘度、２０〜９５％の間の沸水処理ＢＣＥ、および０から５パーセントの収縮を有するポリ（トリメチレンテレフタレート）から成ることを特徴とするカーペット。
【請求項６】
前記糸が約７００と約５０００の間のデニールを有することを特徴とする請求項５に記載のカーペット。
【請求項７】
前記フィラメントが約４から約２５のフィラメント当たりのデニールを有することを特徴とする請求項６に記載のカーペット。
【請求項８】
前記糸がインチ当たり約３．５から約６．５巻きの間の諸撚りレベルを有することを特徴とする請求項７に記載のカーペット。
【請求項９】
前記カーペットが約２５から約９０オンス／平方ヤードの間の重量を有することを特徴とする請求項８に記載のカーペット。
【請求項１０】
前記カーペットが０．２５から１インチのパイル高さを有するカットパイルスタイルのカーペットであることを特徴とする請求項９に記載のカーペット。
【請求項１１】
前記カーペットが０．１２５から０．３７５インチのパイル高さを有するループパイルスタイルのカーペットであることを特徴とする請求項１０に記載のカーペット。
【発明の詳細な説明】
【技術分野】
【０００１】
本発明は、ポリ（トリメチレンテレフタレート）の嵩高連続フィラメントおよびその嵩高フィラメントから製造されたカーペットに関する。
【背景技術】
【０００２】
現在、通常の食物による着色に対する防汚性を有するカーペットは非常に需要がある。防汚性にするために、ナイロンカーペットを防汚化学剤で処理するか、あるいはナイロン繊維は防汚剤をそのポリマー内に混ぜるかのいずれかでなければならない。
【０００３】
しかしながら、ポリエステル繊維から製造されたカーペットは、ポリエステル本来の防汚特性という利点を有する。ポリエステルカーペットは、通常、ポリ（エチレンテレフタレート）のフィラメントから製造される。これらのカーペットは、（パイル高さ保持性とも称される）耐圧潰性に劣っていること、およびテクスチャー保持性（すなわち、タフトの先端の糸が摩耗でほぐれる）に劣っていることがある。カーペットは、頻繁に踏まれる場所では艶消しの外観になってしまうことがある。
【０００４】
ポリエステルカーペットは、ポリ（ブチレンテレフタレート）のフィラメントから製造されてもいる。これらのカーペットは、ポリ（エチレンテレフタレート）のカーペットと比べて、耐圧潰性は改善されているが、当初のテクスチャーが劣っており、およびテクスチャー保持性が劣っていることがある。
【０００５】
したがって、ポリエステルにもともと備わっている防汚性、そして同時に適当なテクスチャー保持性および耐圧潰性を有するポリエステルカーペットを用いることは有益である。
【０００６】
【特許文献１】米国特許第３，５２５，１３４号
【発明の開示】
【０００７】
本発明の一実施態様は、ポリ（トリメチレンテレフタレート）の嵩高連続フィラメント（ＢＣＦ）糸から製造されたカーペットである。そのカーペットは、もともと備わっている防汚性並びに、ポリ（エチレンテレフタレート）またはポリ（ブチレンテレフタレート）から成る類似のＢＣＦ糸から製造されたカーペットより優れたテクスチャー保持性および耐圧潰性を有する。
【０００８】
本発明のカーペットは、不規則に間隔をあけられた３次元曲線の捲縮、２０〜９５パーセントの間の（本明細書において後で定義される）沸水処理した束の捲縮伸び（ＢＣＥ）、および０から５パーセントの（本明細書において後で定義される）収縮を有する多数の嵩高連続フィラメントから製造された捲縮された諸撚糸を用いてタフトされる。フィラメントは、約０．６から１．３の間の固有粘度を有するポリ（トリメチレンテレフタレート）から製造される。
【０００９】
本発明の第２の実施態様は、本発明のカーペットを製造するために使用されたポリ（トリメチレンテレフタレート）ＢＣＦ糸である。本発明の嵩高連続フィラメント糸は０．６から１．３の間の固有粘度、２０から９５パーセントの沸水処理ＢＣＥ、０から５パーセントの収縮、４と２５の間のフィラメント当たりのデニール、および７００から５０００の間の総デニールを有する。強力はデニール当たり１．２から３．５グラム（ｇｐｄ）の範囲にあり、および破断伸びは１０から９０パーセント、好ましくは２０から７０パーセントの間である。
【００１０】
本発明の第３の実施態様は、ＢＣＦ糸の製造方法である。全プロセスは次の工程を備える：
ａ）２４５℃から２８５℃の間の温度において紡糸口金を通して溶融ポリ（トリメチレンテレフタレート）ポリマーを押し出し、フィラメントを形成し、前記ポリ（トリメチレンテレフタレート）ポリマーが０．６から１．３の範囲の固有粘度および重量に基づいて１００ｐｐｍより少ない水分を有し；
ｂ）０．２から０．８ｍ／秒の範囲の速度で該フィラメントに垂直に流れる空気により該フィラメントを冷却し；
ｃ）紡糸仕上げ剤で該フィラメントを被覆し；
ｄ）該フィラメントの延伸に先立って該フィラメントをフィラメントのガラス転移温度より高いが２００℃より低い温度に加熱し；
ｅ）延伸されたフィラメントの破断伸びが１０から９０％の間になるように十分高い延伸割合まで、一組の供給ローラと一組の延伸ローラの間で、該フィラメントを延伸し、該延伸ローラの温度は１２０℃から２００℃であり；
ｆ）延伸ローラから少なくとも８００ｍ／分の速度で、延伸フィラメントを嵩高加工ユニットに供給し、延伸ローラの温度と少なくとも同じように高い温度の熱い嵩高加工流体を用いて前記フィラメントを発泡させ、および３次元に変形して、不規則に間隔をあけた曲線の捲縮を有する嵩高連続フィラメントを形成し；
ｇ）嵩高連続フィラメントを該フィラメントのガラス転移温度より低い温度まで冷却し；および
ｈ）延伸ローラの速度より少なくとも１０％低い速度で該フィラメントを巻き上げる。
【発明を実施するための最良の形態】
【００１１】
図１は、ポリ（トリメチレンテレフタレート）の嵩高連続フィラメントの製造方法を説明する。０．６から１．３、好ましくは０．８から１．１の固有粘度および約１００ｐｐｍより少ない水分を有するポリ（トリメチレンテレフタレート）ポリマーを、２４５℃から２８５℃の間の温度で紡糸口金１０を通して押し出してフィラメント１２を形成し、このフィラメントを、ガスの、代表的には湿った空気の、１０℃から３０℃の間の温度および０．２〜０．８ｍ／秒の間の速度の放射流または交差流によりフィラメントが冷却される急冷チムニー１６を通って供給ローラ１４により引く。供給ローラ１４に先立って、仕上げ剤アプリケーター１８により紡糸仕上げ剤をフィラメントに塗布する。
【００１２】
延伸に先立って、フィラメントがガラス転移温度（Ｔｇ）より高く、かつ２００℃より低い温度であることが非常に重要である。Ｔｇ未満で延伸が行われると、不均一な延伸および糸の破損が生じる。２００℃より高い温度は糸の融点に近すぎて、効果的に分子を延伸しない。ポリ（トリメチレンテレフタレート）フィラメントのガラス転移温度は、フィラメントの含水量、正確な組成、および急冷のようなプロセス条件により約３５℃〜５０℃の間で変動する。図１に示されるプロセスにおいて、延伸用にフィラメントを加熱するために、供給ローラ１４をガラス転移温度と２００℃との間の温度まで加熱してもよい。他の実施態様において、供給ローラ１４は室温にし、そして供給ローラと延伸ローラ２２との間に位置する（図示されていない）加熱延伸ピンを使用して、延伸に先立って、フィラメントをフィラメントのガラス転移温度と２００℃との間の温度に加熱してもよい。
【００１３】
熱い流体延伸補助ジェット３２を用いてガラス転移温度と２００℃との間の温度にフィラメントを加熱する好ましい実施態様を図２に示す。熱い流体は空気または蒸気であってもよい。蒸気噴流が使用されるときには、多量の仕上げ剤がフィラメントから除去され、そして後で延伸仕上げ剤をアプリケーター３４により塗布することが必要である。
【００１４】
フィラメントは、所望により設けてもよい方向変換ピン２０、ついでアニーリングを促進するために１２０℃から２００℃の間の温度に維持される延伸ローラ２２を通過する。嵩高加工用に糸を加熱するために、その温度は少なくとも約１２０℃でなければならない。約２００℃より高くその糸を加熱すると、その糸はホットローラ上で溶融することになるかもしれない。そのフィラメントの延伸割合は、そのフィラメントの破断伸びが１０から９０パーセント、好ましくは２０〜７０％の間になるまで、供給ローラおよび／または延伸ローラの速度を調節することにより制御される。これは、代表的に、約３から４．５の間の延伸割合に対応する。
【００１５】
延伸ローラ２２は、フィラメントを、特許文献１（この特許番号を参照することにより本明細書の一部を構成するものとする）に記載されているような、フィラメントが空気あるいは蒸気のような熱い嵩高加工流体で発泡され、および３次元に変形するジェット嵩高加工ユニット２４に搬送する。熱い流体は少なくとも延伸ローラ２２の温度でなければならず、好ましくは１２０℃から２２０℃の間である。
【００１６】
ついで得られた不規則に間隔をあけた３次元曲線の捲縮を有する嵩高連続フィラメント（ＢＣＦ）糸を、捲縮のかなりの量を引き延ばさないように糸を約０ｇｐｄ張力の状態にしながら、フィラメントのガラス転移温度より低く冷却する。冷却は種々の商用的に入手可能な方法により達成することができる。好ましい実施態様において、ＢＣＦ糸は嵩高加工ユニット２４から、空気が吸い込まれる穴あきの表面を有する回転ドラム２６上に排出される。冷却を促進するために、所望により設けることができる水の噴霧急冷器２８を使用してもよい。ついで、フィラメントはローラ３０を通過して、そして延伸ローラの速度より少なくとも１０％遅い速度で巻き上げられる。巻き上げ速度は延伸ローラの速度より少なくとも約１０％遅く保つ。その理由は、より早い速度で走行させると捲縮成長が低下し、および糸の収縮が増加するからである。
【００１７】
特許文献１に記載された嵩高加工ユニットにおいて、フィラメントは嵩高くなりかつ絡み合う。他の嵩高加工ユニットを使用すると、巻き上げに先立って、別途の絡み合せ工程が必要となることもある。糸を絡み合わせるために当業界において慣用のいかなる方法をも使用することができる。
【００１８】
紡糸、延伸、およびテクスチャーを出す工程を、前述の実施態様に記載されたように単一のプロセスに組み合わせることによって、高生産性を提供することができ、および均一で再現可能な糸を提供する。もちろん上述の工程を分かれたプロセスに使用することもできる。
【００１９】
本発明の嵩高連続フィラメント糸は、０．６から１．３の間の固有粘度、２０から９５パーセントの間の沸水処理ＢＣＥ、０から５パーセントの収縮、４と２５の間のフィラメント当たりのデニール、および７００と５０００の間の総デニールを有する。強力は１．２から３．５ｇｐｄの範囲であり、および破断伸びは１０から９０パーセント、好ましくは２０から７０パーセントの間である。これらのＢＣＦ糸は特にカーペットにおいて有用であるが、これらの最終用途は室内装飾材料および壁装材も含む。この糸は少なくとも６５％の優れた（下記の試験方法において定義される）曲げ回復率を有し、他方、ポリ（エチレンテレフタレート）のＢＣＦ糸は約４０％より低い回復率を有し、ポリ（ブチレンテレフタレート）のＢＣＦ糸は約６０％より低い回復率を有する。曲げ回復率は、負荷が取り除かれた後に元の外形にどのくらいうまく戻ることができるかの指標である。回復率のパーセントが高ければ高いほど、糸は元の外形によりよく戻ることができる。カーペットの場合には、高い曲げ回復率は良好な耐圧潰性（パイル高さ保持性）を意味する。
【００２０】
これらの優れた曲げ特性に加えて、本発明の不規則な３次元曲線捲縮ＢＣＦ糸は、その捲縮の性質によりカーペットに特に有用である。これらの曲線に捲縮された糸は高い捲縮耐久性を有する。非対称に急冷された螺旋捲縮のような捲縮の他の形状を有する糸は、低い捲縮再生力（または捲縮耐久性）を有するので、捲縮が通常のカーペット製造工程の間に永久に抜けてしまう。曲線の捲縮はカーペットの製造の間に本発明の糸から永久にわずかしか抜けない。不規則な３次元曲線捲縮を有する糸は互いに先端を接して重なり合うことができない。不規則ではなく捲縮された糸は、互いの先端を接して重なり合うことができる（フォローザリーダー(follow the leader) と称されることもある）。この重なり合いは得られたカーペットパイルにおけるより少ない嵩の原因となり、それ故に所望されるカバーを提供するためにより多くの糸が必要とされる。
【００２１】
本発明のＢＣＦ糸から製造されたカーペットは、当業者に公知のいかなる方法においても製造することができる。代表的に、多数の糸を一緒に（インチ当たり約３．５から６．５撚りの）縄撚りにし、そしてオートクレーブ、スーセン(suessen) またはSuperba（登録商標）のような装置において（華氏約２７０〜２９０度）（１３２°から１４３℃）でヒートセットし、ついで  第１の裏地にタフトする。ラテックス接着剤、ついで第２の裏地を貼る。約０．２５から１インチ（０．６４から２．５４ｃｍ）の間のパイル高さを有するカットパイルスタイルのカーペット、または約０．１２５から０．３７５インチ（０．３１８から０．９５３ｃｍ）の間のパイル高さを有するループパイルスタイルのカーペットをこれらのＢＣＦ糸で製造することができる。代表的なカーペットの重さは、平方ヤード当たり約２５から９０オンス（平方メートル当たり約５９３ｇから２１３３ｇ）の間である。
【００２２】
驚くべきことに、本発明のカーペットは、優れた少なくとも４．０の（下記の試験方法において定義される）テクスチャー保持性、および少なくとも９０％、好ましくは少なくとも９５％の（下記の試験方法において定義される）パイル高さ保持性、および少なくとも４．０の防汚性評価を有する。類似の構造およびポリ（エチレンテレフタレート）以外の糸のカーペットは、３．５より小さいテクスチャー保持性、９０％より低いパイル高さ保持性、および約３．５の防汚性評価を有する。類似の構造およびポリ（ブチレンテレフタレート）以外の糸のカーペットは、２．０より小さいテクスチャー保持性、９０％より低いパイル高さ保持性、および約４の防汚性評価を有する。
【００２３】
＜試験方法＞
［固有粘度］
これは、２５℃で、Ostwald-Cannon-Fenske シリーズ５０粘度計において測定された２５部のトリフルオロ酢酸と７５部の塩化メチレン（体積／体積）の混合溶媒中のポリエステルポリマーまたは糸の０．３２重量パーセント溶液の粘度である。
【００２４】
［沸水処理した束の捲縮伸び（ＢＣＥ）］
束の捲縮伸び（ＢＣＥ）は、沸水処理され状態調節された糸のサンプルが０．１０グラム／デニールの張力下で伸びる量であり、引張りのないサンプルの長さのパーセントとして表される。沸水処理操作において、約１メートル長の糸サンプルをゆるめた状態で直径１０ｃｍの穴あきの缶にぐるぐる巻き、ついで１００℃ですみやかに沸騰している水に３分間浸す。ついでサンプルと缶をその水から取り出し、室温の水に浸けて出し、サンプルを冷却する。ついでサンプルを遠心分離器にかけて余分な水を取り除き、１００℃から１１０℃で熱風炉において１時間乾燥し、ついでＢＣＥの測定に先立って少なくとも１時間にわたって状態調節を行う。
【００２５】
ゆるめた状態で５０ｃｍ長（Ｌ１）の試験サンプルを垂直位置に載せる。ついで糸に重りを静かにつるしてサンプルをのばし、０．１０±０．０２グラム／デニールの張力を作り出す。張力を少なくとも３分間かけた後に伸ばされた長さ（Ｌ２）を読む。ついで、パーセントでのＢＣＥを１００（Ｌ２−Ｌ１）／Ｌ１として計算する。結果は、通常、サンプルごとに３回試験した平均として報告される。
【００２６】
［収縮］
収縮は、糸または繊維をゆるめた状態で１００℃で沸騰水中で処理するときに生じる糸または繊維の伸ばされた長さにおける変化である。連続フィラメント糸の収縮を測定するために、一片の状態調節を行った糸のサンプルを結んで６５ｃｍ長と７５ｃｍ長との間のループを形成する。そのループを測定板のフックにかけ、そして１２５グラムのおもりをループの他端から吊す。そのループの長さを測定し、沸水処理前の長さ（Ｌ１）とする。ついで重りをループから取り除く。サンプルを糸目の粗い織り布（例えば、チーズクロス）でゆるく包み、２０分間にわたり１００℃の沸騰水中に置き、その水から出し、遠心分離器にかけ、布から取り出し、そしてさらなる測定の前に、通常の状態調節を行うに先だって、室内条件で吊して乾燥させる。乾燥し、ついで状態調節を行ったループを測定板に再び下げ、１２５グラムの重りを再び置き、そして前と同様にループの長さを測定し、沸水処理後の長さ（Ｌ２）とした。ついでパーセントで表される糸の収縮は、１００（Ｌ１−Ｌ２）／Ｌ１として計算され、ここに報告されたように、与えられた糸に対してこのような測定を３回行った平均である。
【００２７】
［曲げ回復性］
この試験は、繊維の回復特性における情報を提供する。使用される技術は、Prevorsek 、Butler、および Lamb により記載されている（Tex. Res. J.  １９７５年２月、６０〜６７頁）。この試験において、糸を、６０秒にわたり糸の各端に８００ｍｇの負荷をかけて直径０．００３インチ（０．００８ｃｍ）のワイヤーにわたして吊る。この試験は２４℃および５７％の相対湿度（ＲＨ）で行う。ついでフィラメントを取り除き、そして「回復」の量を直ちに測定する。０度の値は回復がない。１８０度の値は完全な回復に相当する。
【００２８】
［汚れ試験］
約縦６インチ（１５．２４ｃｍ）横６インチ（１５．２４ｃｍ）のサンプルをカーペットから切る。（約５０℃の）ホットコーヒーの汚れ剤を使用する。カーペットサンプルを平らで非吸湿性の表面に置き、２０ｍｌのコーヒー汚れ剤をカーペットの表面の上１２インチ（３０．４８ｃｍ）の高さからサンプルに流し、ついでサンプルを２４時間にわたり乱されないようにそのままにしておく。汚れを閉じこめるために、直径約２インチ（５．０８ｃｍ）のシリンダーをカーペットに置き、そしてそれを通して汚れ剤を注ぐようにしてもよい。
【００２９】
余分な汚れ剤を、きれいな白布あるいはきれいな白いペーパータオルで吸い取るか、またはできるだけすくい上げる。吸い取りは常にこぼれたものの外縁から中央に向かって行い、こぼれたものが広がらないようにする。きれいな白布あるいはスポンジを用いて冷水を汚れた場所にかけ、左から右にやさしくパイルをこすり、ついで右から左へと方向を変える。余分は吸い取る。
【００３０】
合成洗剤の洗浄溶液（１０００ｍｌの水に混合され、使用に先立って室温にされた１５ｇのＴＩＤＥ合成洗剤）をきれいな白布またはスポンジで汚れに直接塗り、左から右にやさしくパイルをこすり、ついで右から左へと方向を変える。汚れ全体をパイルの底部にまで処理し、ついで吸い取りを繰り返す。
【００３１】
冷水処理を繰り返し、そしてカーペットに対して入念に吸い取りを行って汚れと洗浄溶液を除去する。汚れがもはや見えなくなるまでか、あるいは汚れの除去においてさらなる進捗を達成できなくなるまで、冷水および合成洗剤の洗浄工程を繰り返す。カーペットを完全に吸い取って全水分を吸収する。この洗浄処理の後に、カーペットの汚れた場所に残った色の量でカーペットの防汚性を目視的に決定する。
【００３２】
５＝汚れなし
４＝わずかな汚れ
３＝目につく汚れ
２＝相当な汚れ
１＝ひどい汚れ
【００３３】
［テクスチャー保持性］
テクスチャー保持性のデータは、試験カーペットを１１，０００サイクルの人の歩行にさらし、一組の対照サンプルに対する艶消しの程度に基づく評価を目視にて決定することにより得られる。テクスチャー保持性は、未試験の対照サンプルに相当する５、わずかに使い古されたサンプルに相当する４、適度に使い古されたサンプルに相当する３、許容できる摩耗から許容できない摩耗の変わり目に相当する２．５、明白に許容できない摩耗に相当する２、および極度に艶消されたサンプルに相当する１の評価により１から５までのスケールで示される。
【００３４】
［パイル高さ保持性］
パーセントパイル高さ保持性は、歩行前のカーペットタフトのパイル高さに対する１１，０００歩行後のカーペットタフトのパイル高さの割合の１００倍である。
【実施例】
【００３５】
［例１］
０．９０の固有粘度および５０ｐｐｍより少ない水分を有するポリ（トリメチレンテレフタレート）ポリマーを、１６０ホール紡糸口金を通して、それぞれ１．７の改質比（ＭＲ）の３裂（trilobal）横断面を有する８０フィラメントである２つの部分に紡糸した。紡糸パック前のポリマー温度を約２６０°±１℃に制御し、そして紡糸量は１分当たり３３５グラムであった。ついで溶融フィラメントを、１０℃の冷却空気が３００立方フィート／分（０．２３６立方メートル／秒）でフィラメントを過ぎて吹くチムニーにおいてすぐに急冷した。フィラメントを、６３０ヤード／分の表面速度で回転している未加熱の供給ローラによって急冷ゾーンを通って引き、ついで延伸および捲縮用潤滑剤で被覆した。被覆された糸は蒸気延伸ジェット、後延伸噴流仕上げ剤アプリケーターを通り、そして２１７７ヤード／分（１９９１ｍ／分）（３．４５×延伸速度）で回転する一対の加熱延伸ローラを過ぎて行った。延伸ジェット内の温度は２００℃であり、および延伸ローラ温度は１８０℃であった。ついで糸を、Ｃｏｏｎの特許文献１に記載されたものと類似の（１９５℃の熱い空気の）二重衝突(dual-impingement)嵩高加工ジェットに送り、２つの１２００デニール、フィラメント当たり１５デニール（ｄｐｆ）の嵩高連続フィラメント糸を形成した。糸は収縮＝２．４４％、強力＝デニール当たり２．０８グラム（ｇｐｄ）、伸び＝２０．５％、モジュラス＝５３．６８ｇｐｄ、および沸水処理ＢＣＥ＝５７．６％を有した。
【００３６】
曲げ回復性を測定する前に、糸を諸撚りし（４×４）、そして華氏２８０度（１３８℃）でオートクレーブにおいてヒートセットした。曲げ回復性のデータを表Ｉに示す。
【００３７】
［例２（比較）］
デュポン社から入手可能な市販グレードのポリ（エチレンテレフタレート）ポリマー、コード１９１４Ｆを、後延伸ジェット仕上げ剤塗布を必要としない以外は例１に記載されたプロセスを使用して、１２００デニール、１５ｄｐｆ、１．７ＭＲの３裂横断面糸に紡糸した。ポリ（トリメチレンテレフタレート）の溶融温度に対してポリ（エチレンテレフタレート）の溶融温度がより高いため、紡糸（２９０℃）、延伸ローラ（１９０℃）、および嵩高加工ジェット（２２０℃）の温度も例１より高くした。糸は収縮＝４．１１％、強力＝デニール当たり３．６３ｇｐｄ、伸び＝２７．８％、モジュラス＝４５．９０ｇｐｄ、および沸水処理ＢＣＥ＝６６．３％を有した。
【００３８】
諸撚りしヒートセットした糸に対する曲げ回復性のデータを表Ｉに示す。
【００３９】
［例３（比較）］
デュポン社から入手可能な市販グレードのポリ（ブチレンテレフタレート）ポリマーとしてのRYNITE（登録商標）６１３１を、蒸気加熱延伸補助噴流および後延伸噴流仕上げ剤塗布がないこと以外は例１に記載されたプロセスを使用して、１２００デニール、１５ｄｐｆ、１．７ＭＲの３裂横断面糸に紡糸した。ポリマーのより低い溶融温度のため、紡糸温度をわずかに低くした（２４７℃）。糸は収縮＝３．０４％、強力＝２．７９ｇｐｄ、伸び＝１２．８％、モジュラス＝４３．０７ｇｐｄ、および沸水処理ＢＣＥ＝７４．６％を有した。
【００４０】
諸撚りしヒートセットした糸に対する曲げ回復性のデータを表Ｉに示す。
【００４１】
表Ｉ
サンプル                  回復性
例１                  １１９．４
例２                    ７１．３
例３                  １０７．９
【００４２】
表Ｉのデータは、例１のポリ（トリメチレンテレフタレート）ＢＣＦ糸は、例２［ポリ（エチレンテレフタレート）］または例３［ポリ（ブチレンテレフタレート）］の糸より大きい回復性を有する。したがって、例１の糸はカーペットにおいてより良好なパイル高さ保持性（耐圧潰性）を有するはずである。
【００４３】
［例４］
例１、２、および３において製造された試験糸を、インチ当たり４×４撚りの縄撚りにし、華氏２８０度（１３８℃）でオートクレーブでのヒートセットを行い、そして１／８インチ（０．３２ｃｍ）ゲージタフト機において５／８インチ（１．６ｃｍ）のパイル高さ、平方ヤードのカットパイルカーペット当たり４０オンス（平方メートル当たり９４８ｇ）にタフトした。分散染料を用いて中間の青色にカーペットをベック（Beck）染色した。例１および２の糸から製造されたカーペットは良好な正確な位置へのタフトの精細度を有していた。例３の糸から製造されたカーペットは大変劣ったタフトの精細度を有していた。それはまるでサクソニーカーペットではなくフェルトのようだった。テクスチャー保持性、パイル高さ保持性、および汚れ試験の結果を表IIに示す。
【００４４】
表II
テクスチャー        パイル高さ        防汚
カーペット糸          評価                保持性            評価
例１                ４．０              ９７％          ４．５
例２                ３．４              ８９％          ３．５
例３                ２．０              ８９％          ４．０
【００４５】
驚くべきことに、例１のポリ（トリメチレンテレフタレート）ＢＣＦ糸から製造されたカーペットは、ポリ（エチレンテレフタレート）（例２）またはポリ（ブチレンテレフタレート）（例３）糸のいずれかのカーペットより顕著に良好なテクスチャー保持性およびパイル高さ保持性を有する。
【００４６】
なお、本発明の態様としては、以下のものも挙げることができる。
１．ポリ（トリメチレンテレフタレート）嵩高連続フィラメントの製造方法であって、
ａ）２４５℃から２８５℃の間の温度において紡糸口金を通して溶融ポリ（トリメチレンテレフタレート）ポリマーを押し出し、フィラメントを形成し、前記ポリ（トリメチレンテレフタレート）ポリマーが０．６から１．３の範囲の固有粘度および重量に基づいて１００ｐｐｍより少ない水分を有し；
ｂ）０．２から０．８ｍ／秒の範囲の速度で該フィラメントに垂直に流れる空気により急冷チムニーにおいて該フィラメントを冷却し；
ｃ）紡糸仕上げ剤で該フィラメントを被覆し；
ｄ）該フィラメントの延伸に先立って該フィラメントをフィラメントのガラス転移温度より高いが２００℃より低い温度に加熱し；
ｅ）延伸されたフィラメントの破断伸びが１０から９０％の間になるように十分高い延伸割合まで、一組の供給ローラと一組の延伸ローラの間で、該フィラメントを延伸し、該延伸ローラの温度は１２０℃から２００℃であり；
ｆ）延伸ローラから少なくとも８００ｍ／分の速度で、延伸フィラメントを嵩高加工ユニットに供給し、延伸ローラの温度と少なくとも同じように高い温度の熱い嵩高加工流体を用いて前記フィラメントを発泡させ、および３次元に変形して、不規則に間隔をあけた曲線の捲縮を有する嵩高連続フィラメントを形成し；
ｇ）嵩高連続フィラメントを該フィラメントのガラス転移温度より低い温度まで冷却し；および
ｈ）延伸ローラの速度より少なくとも１０％低い速度で該フィラメントを巻き上げる、
工程を備えたことを特徴とする製造方法。
２．前記供給ローラと前記延伸ローラとの間に位置する加熱手段によって前記フィラメントを加熱して延伸し、および前記供給ローラの温度が前記フィラメントのガラス転移温度より低いことを特徴とする１．に記載の製造方法。
３．前記加熱手段が熱い流体噴流であることを特徴とする２．に記載の製造方法。
４．前記熱い流体が蒸気であり、および延伸されたフィラメントを嵩高加工ユニットに供給するのに先立って、後延伸仕上げ剤で延伸フィラメントを被覆する工程をさらに備えたことを特徴とする３．に記載の製造方法。
５．前記加熱手段が加熱延伸ピンであることを特徴とする２．に記載の製造方法。
６．前記供給ローラの温度を前記フィラメントのガラス転移温度より高いが２００℃より低い温度にセットすることにより、前記フィラメントを加熱して延伸することを特徴とする１．に記載の製造方法。
７．前記フィラメントの破断伸びが２０から７０％の間である十分に高い延伸割合まで、前記フィラメントを延伸することを特徴とする１．に記載の製造方法。
８．嵩高加工流体の温度が１２０°から２２０℃の間であることを特徴とする１．に記載の製造方法。
９．巻き上げに先立って、前記嵩高連続フィラメントを、空気が吸い込まれる穴あきの表面を有する回転ドラム上で、フィラメントのガラス転移温度より低く冷却することを特徴とする１．に記載の製造方法。
１０．前記フィラメントがガラス転移温度より低く冷却された後であり、かつ巻き上げに先立って、前記嵩高連続フィラメントを絡み合わせる工程をさらに備えたことを特徴とする１．に記載の製造方法。
【図面の簡単な説明】
【００４７】
【図１】延伸に先立ってフィラメントの温度をガラス転移温度より高く上げるために加熱供給ローラを使用する本発明の実施態様の略図である。
【図２】延伸に先立ってフィラメントの予備加熱を行うために蒸気延伸補助ジェットを使用する本発明の実施態様の略図である。
【図１】
2006283273.tif 000003
【図２】
2006283273.tif 000004
【手続補正書】
【提出日】平成18年6月13日(2006.6.13)
【手続補正１】
【補正対象書類名】特許請求の範囲
【補正対象項目名】請求項１
【補正方法】変更
【補正の内容】
【請求項１】
不規則に間隔をあけた３次元曲線の捲縮を有する多数の嵩高連続フィラメントを含む糸であって、前記フィラメントは、０．６と１．３の間の固有粘度を有するポリ（トリメチレンテレフタレート）から成り、かつ７００と５０００の間の総デニール、４と２５の間のフィラメント当たりのデニール、２０と９５％の間の沸水処理ＢＣＥ、および０から５パーセントの収縮を有することを特徴とする糸。